(57)【要約】【課題】            コイルの端末線が樹脂製の巻枠柱に植設されたピン端子に絡められ、電気素子リード線や電源リード線が搭載された端子台が、ピン端子を貫いて、電気素子リード線や電源リード線とピン端子とが接続された固定子構造を有する電動機の製造にあたり、接続の安定化の信頼性とピン端子の倒れや脱落を回避することで、生産性の向上を図る。【解決手段】        固定子に設けた樹脂製の巻枠柱の先端部に導電性のあるピン端子３が植設され、ティースに巻装されたコイルの端末線５がピン端子３に絡められ、電気素子リード線８や電源リード線９が搭載された端子台７が、ピン端子３を貫いて、電気素子リード線８や電源リード線９とピン端子３とが接続された固定子構造を有する電動機について、そのピン端子３に電気素子リード線８電源リード線９を保持する保持構造として折曲片１２を設け、電気素子リード線８や電源リード線９をこの折曲片１２に保持させて半田付けにする。【選択図】          図３
2005137041.tif 000002
【特許請求の範囲】
【請求項１】
固定子に設けた樹脂製の巻枠柱の先端部に導電性のあるピン端子が植設され、前記固定子のコイルの端末線が前記ピン端子に絡められ、電気素子が搭載された端子台が、前記ピン端子を貫いて、前記電気素子リード線や電源リード線と前記ピン端子とが接続された固定子構造を有する電動機であって、前記ピン端子に前記電気素子リード線や電源リード線を保持する保持構造を設け、前記電気素子リード線や電源リード線をこの保持構造に保持させて半田付けにした電動機。
【請求項２】
請求項１に記載の電動機であって、コイルの端末線をピン端子の先端部に絡め、保持構造は、ピン端子の基部側に設けた電動機。
【請求項３】
請求項１又は請求項２のいずれかに記載の電動機であって、ピン端子の保持構造は、端子台の表面より抜け出す位置に、ピン端子の軸心に対して略直角に折り曲げた折曲片である電動機。
【発明の詳細な説明】
【技術分野】
【０００１】
本発明は、コイルの端末線がピン端子に絡められ、電気素子が搭載された端子台が、ピン端子を貫いて、電気素子リード線や電源リード線とピン端子とが接続された固定子構造を有する電動機に関するものである。
【背景技術】
【０００２】
電動機には、放射状に配列するティースの外周部に軸方向に延出した樹脂製の巻枠柱の先端部にピン端子が植設され、ティースに巻装されたコイルの端末線がピン端子に絡められ、搭載された端子台が、ピン端子を貫いて、電気素子リード線や電源リード線とピン端子とが接続された固定子構造を有するものがある。なお、この種の従来技術としては特許文献１に開示された技術がある。
【０００３】
【特許文献１】特開平３―１９８６４４号公報
【発明の開示】
【発明が解決しようとする課題】
【０００４】
上記この種の固定子構造を持つ従来の電動機は、電気素子リード線や電源リード線が搭載された端子台が、ピン端子を貫いて、電気素子リード線や電源リード線とピン端子とがスポット溶接されている。しかしながら、ピン端子に絡げたコイルの端末線との結合に半田を用いているためスポット溶接不良の問題もあり、さらに、その処理に半田手直しを行うが、ピン端子と電気素子リード線や電源リード線は接触面が小さいため手間取っている。そして、ピン端子に絡げたコイルの端末線との結合を、加熱した半田槽に浸して半田付けにしているが、コイルの端末線を絡げたピン端子の位置と樹脂製の巻枠柱がごく近いため、半田の熱で巻枠柱が溶けてピン端子が倒れたり、抜け落ちてしまうなどの問題点がある。
【０００５】
本発明は、上記した問題点を解決するためになされたものであり、その課題とするところは、コイルの端末線が樹脂製の巻枠柱に植設されたピン端子に絡められ、電気素子リード線や電源リード線が搭載された端子台が、ピン端子を貫いて、電気素子リード線や電源リード線とピン端子とが接続された固定子構造を有する電動機の製造にあたり、ピン端子の倒れや脱落を回避することで、生産性の向上を図ることである。また、その電動機の半田付け不良や半田の垂れを回避することである。
【課題を解決するための手段】
【０００６】
上記課題を解決するために本発明は、固定子に設けた樹脂製の巻枠柱の先端部に導電性のあるピン端子が植設され、ティースに巻装されたコイルの端末線がピン端子に絡められ、電気素子リード線や電源リード線が搭載された端子台が、ピン端子を貫いて、電気素子リード線や電源リード線とピン端子とが接続された固定子構造を有する電動機について、そのピン端子に電気素子リード線や電源リード線を保持する保持構造を設け、電気素子リード線や電源リード線をこの保持構造に保持させて半田付けにする手段を採用する。
【発明の効果】
【０００７】
上記手段を採用することにより、ピン端子の保持構造に端子台に搭載された電気素子リード線や電源リード線を保持させておいて、保持構造とピン端子を半田付けにすることができ、半田付けが容易になるとともに、電気素子リード線や電源リード線と保持構造の接触面積が広く、安定した半田付けが実現し、生産性も向上する。
【発明を実施するための最良の形態】
【０００８】
本発明の電動機は、その固定子に樹脂製の巻枠柱の先端部に導電性のあるピン端子が植設され、ティースに巻装されたコイルの端末線がピン端子に絡められ、電気素子リード線や電源リード線が搭載された端子台が、ピン端子を貫いて、電気素子リード線や電源リード線とピン端子とが接続された固定子構造を有するものである。ピン端子には電気素子リード線や電源リード線を保持する保持構造が設けられている。保持構造は、ピン端子の基部側に設けられていて、端子台の表面より抜け出す位置に、ピン端子の軸心に対して略直角に折り曲げた折曲片で構成されている。コイルの端末線は、端子台を装着する前にピン端子の先端部に絡められ、絡めた先端部を半田槽に浸して半田付けにされる。
【０００９】
端子台にはその表面に電気素子リード線や電源リード線が搭載されている。電気素子リード線や電源リード線は端子台に開けられた開口部に跨がされ、開口部を跨ぐ部分の電源リード線の被覆は除去される。コイルの端末線とピン端子が半田付けされた固定子に電気素子リード線や電源リード線が搭載された端子台が被せるように取付けられる。ピン端子は、端子台の開口部から表面側へ貫き通され、開口部の表面側へ抜け出した位置にある折曲片に被覆の除去された電気素子リード線や電源リード線が受け保持される。この状態で折曲片と電気素子リード線や電源リード線が半田付けにされる。
【００１０】
この電動機は、ピン端子と電気素子リード線や電源リード線とは略直角に交わるが、電気素子リード線や電源リード線は、折曲片に重なり合った形態で持ち上げられ、接触面積は広い。従って、電気素子リード線や電源リード線と折曲片との半田付けは容易で、半田付け不良は起き難い。また、半田付けに際し、半田量の変動で半田が垂れるようなことがあっても、折曲片で受け止められ垂れ落ちるようなことはない。そして、ピン端子に絡げたコイルの端末線との結合を、加熱した半田槽に浸して半田付けにするが、コイルの端末線を絡げたピン端子の位置と樹脂製の巻枠柱は遠のいているため、半田の熱で巻枠柱が溶けてピン端子が倒れたり、抜け落ちてしまうなどの問題も解消する。また、ピン端子とコイルの端末線とを結合している半田が折曲片と電気素子リード線や電源リード線との半田付けに際し、予備半田の役割を果たし、折曲片とリード線やジャンパー線との半田付けを容易かつ安定させることができる。
【００１１】
実施の形態１．
図１は、本実施の形態の電動機を一部を断面して表した正面図、図２は、端子台の平面図、図３は、端子台とピン端子の関係を表した部分斜視図、図４は、端子台とピン端子の関係を表した部分側面図である。この電動機は、固定子が、放射状に配列するティース１に軸方向に延出した樹脂製の巻枠柱２の先端部に導電性のあるピン端子３が植設され、ティース１に巻装されたコイル４の端末線５がピン端子３に絡められ、電気素子６が搭載された端子台７が、ピン端子３を貫いて、電気素子６の電気素子リード線８電源リード線９とピン端子３とが接続された固定子構造を有するものである。複数のスロットを周方向に形成する複数のティース１をもつティース鉄心の中心部には、回転子１０が収められ、この回転子１０を包むようにスロットにコイル４が巻装され、外輪部を構成するヨーク鉄心１１にティース鉄心が圧入により内嵌合されている。
【００１２】
ピン端子３には電気素子６の電気素子リード線８や電源リード線９を保持する保持構造が設けられている。保持構造は、ピン端子３の基部側に設けられていて、端子台７の表面より抜け出す位置に、ピン端子３の軸心に対して略直角に折り曲げた折曲片１２で構成されている（図３、図４参照）。コイル４の端末線５は、端子台７を装着する前にピン端子３の先端部に絡められ、絡めた先端部を半田槽に浸して半田付けにされる。
【００１３】
端子台７にはその表面に電気素子６が搭載され、電気素子６の電気素子リード線８や電源リード９は端子台７に開けられた開口部１３に跨がされ、開口部１３を跨ぐ部分の電源リード線９の被覆は除去されている。端子台７の表面には対形態に突起１４が形成されていて、電気素子リード線８や電源リード線リ９がこの突起１４の間に保持され開口部１３に跨がされている。コイル４の端末線５とピン端子３が半田付けされた状態で、電気素子６が搭載された端子台７が被せるように取付けられる。ピン端子３は、端子台７の開口部１３から表面側へ貫き通され、開口部１３の表面側へ抜け出した位置にある折曲片１２に開口部１３を跨いでいる被覆の除去された電気素子リード線８や電源リード線９が受け保持される。この状態で折曲片１２と電気素子リード線８や電源リード９が半田付けにされる。
【００１４】
この電動機は、ピン端子３と電気素子リード線８や電源リード線９とは略直角に交わるが、電気素子リード線８や電源リード９は、折曲片１２に重なり合った形態で図４に示すように持ち上げられ、接触面積は広い。従って、電気素子リード線８や電源リード線９と折曲片１２との半田付けは容易で、半田付け不良は起き難い。また、半田付けに際し、半田量の変動で半田が垂れるようなことがあっても、折曲片１２で受け止められ垂れ落ちるようなことはない。そして、ピン端子３に絡げたコイル４の端末線５との結合を、加熱した半田槽に浸して半田付けにするが、コイル４の端末線５を絡げたピン端子３の位置と樹脂製の巻枠柱２は遠のいているため、半田の熱で巻枠柱２が溶けてピン端子３が倒れたり、抜け落ちてしまうなどの問題も解消する。また、ピン端子３とコイル４の端末線５とを結合している半田が折曲片１２と電気素子リード線８や電源リード線９との半田付けに際し、予備半田の役割を果たし、折曲片１２とリード線８との半田付けを容易かつ安定させることができる。また、半田付け時間も短くなり、半田熱による電気素子６（例えば温度ヒューズ）等の劣化も防ぐことができ、生産性が向上する。なお、保持構造としての折曲片１２については、導電性のある部品をカシメ付けて構成しても良く、ピン端子３の軸心に対して電気素子リード線８や電源リード線９を受け支える角度を付けても良い。
【図面の簡単な説明】
【００１５】
【図１】電動機を一部を断面して表した正面図である。（実施の形態１）
【図２】端子台の平面図である。（実施の形態１）
【図３】端子台とピン端子の関係を表した部分斜視図である。（実施の形態１）
【図４】端子台とピン端子の関係を表した部分側面図である。（実施の形態１）
【符号の説明】
【００１６】
１  ティース、  ２  巻枠柱、  ３  ピン端子、  ４  コイル、  ５  端末線、  ６  電気素子、  ７  端子台、  ８  電気素子リード線、  ９  電源リード線、  １０  回転子、  １１  ヨーク鉄心、  １２  折曲片。
【図１】
2005137041.tif 000003
【図２】
2005137041.tif 000004
【図３】
2005137041.tif 000005
【図４】
2005137041.tif 000006